(57)【要約】  【課題】  ケーブルの当初の支持状態を確実に保つことのできる、隧道壁面のケーブル支持装置を提供する。  【解決手段】  隧道の壁面ｗに取付けた支持基枠１の前面板１ａに支持受３を着脱自在に取付けて突設し、該支持受３にケーブルｃを受支させて成り、中間部を前記支持受３の下縁に係止した螺旋杆４の両側を、その内周縁を圧接させて前記ケーブルｃに巻き付ける。【選択図】    図２
2010172058.tif 000002
【特許請求の範囲】
【請求項１】
隧道の壁面に取付けた支持基枠の前面板に支持受を突設し、該支持受にケーブルを受支させたケーブル支持装置において、中間部を前記支持受の下縁に係止した螺旋杆の両側を、その内周面を圧接させて前記ケーブルに巻き付けた、隧道壁面のケーブル支持装置。
【発明の詳細な説明】
【技術分野】
【０００１】
本発明は、隧道の壁面に沿わせてケーブルを配線する際に用いる、隧道壁面のケーブル支持装置に関するものである。
【背景技術】
【０００２】
隧道の壁面に所定間隔を存して支持基枠を取付け、該支持基枠の前面板に支持受を着脱自在に取付け、該支持枠にケーブル受支させるようにした構造のものがある（例えば、特許文献１）が、この従来例は、上面が平坦な、支持受の上面に単に載せてケーブルを支持させようとするため、車両の通過によって生じる振動の繰返しによって支持受からケーブルが容易に脱落する虞れがあり、このため、前支持受の上面に凹入部を設け、該凹入部にケーブルを係合して支持枠の基部から先端方向への移動を規制し、脱落に対処したものが提案されている（例えば、特許文献２）。
【先行技術文献】
【特許文献】
【０００３】
【特許文献１】実開昭６３−６３４号公報
【特許文献２】特開２００４−１４０９８５号公報
【発明の概要】
【発明が解決しようとする課題】
【０００４】
前記凹入部を備えた構造のものは、支持受の基部から自由端である先端方向への移動を防ぐという意味では脱落に対処したものであるが、ケーブルに作用する軸線方向の力に対応できず、ケーブルは軸線方向に移動し、支障を来たすことがある。
【０００５】
本発明は、このような従来例の欠点に着目し、ケーブルの当初の支持状態を確実に保つことのできる装置を提供するために創案したものである。
【課題を解決するための手段】
【０００６】
隧道の壁面に取付けた支持基枠の前面板に支持受を突設し、該支持受にケーブルを受支させたケーブル支持装置において、中間部を前記支持受の下縁に係止した螺旋杆の両側を、その内周面を圧接させて前記ケーブルに巻き付けた構成とするのである。
【発明の効果】
【０００７】
本発明によれば、支持受上に載せたケーブルに螺旋杆を巻き付けて該ケーブルを支持受に組付けられ、ケーブルは支持受に係止した螺旋杆で挟持され支持受上に支持されるものであるから、支持受上を、ケーブルが長手方向に移動することなく、当初の支持状態を確実に維持できる、隧道壁面のケーブル支持装置を提供できる。
【図面の簡単な説明】
【０００８】
【図１】正面図。
【図２】図１の一部欠截側面図。
【図３】図１の一部拡大図。
【図４】図２の一部拡大図。
【図５】図３の底面図。
【実施例】
【０００９】
図面は、本発明に係る隧道壁面のケーブル支持装置の実施例を示すもので、図中、１は支持基枠で、支持基枠１は、断面コ字形の基枠主体１Ａの上、下両端に取付け部片１Ｂ,１Ｂをねじ止めして構成し、取付け部片１Ｂにおいて隧道の壁面ｗにボルト２で止着して該壁面ｗに沿って適宜の間隔を存して適宜数配設したものである。
【００１０】
図示の実施例は、この支持基枠１のそれぞれの前面板１ａ（基枠主体１Ａの中央部片）に、支持受３を着脱自在に取付け、該支持受３，３間にケーブルｃをわたして配置し、各支持受３に螺旋杆７を用いて前記ケーブルｃを固定し、実施例のケーブル支持装置としたものである。なお、支持受３は前面板１ａに固定的に突設しても本発明を実施する上に不都合はない。
【００１１】
前記支持受３は、上面にケーブルｃ係合用の凹入部４を設けた、先後方向に長い平面視長方形状の受部片３ａと、該受部片３ａの長手方向に沿う両側に相対設した側部片３ｂ，３ｂを備えた断面コ形枠体で成り、側部片３ｂ，３ｂの下端縁の、前記凹入部４の略直下位置には前記ケーブルｃを係合する切欠５を設け、受部片３ａと側部片３ｂの後端すなわち基端に部片３ａ´，３ｂ´をそれぞれ突設し、該部片３ａ´，３ｂ´を隧道壁面ｗに装置した支持基枠１の前記前面板１ａに形成した係止孔に前面板１ａの前面側から貫通させ、支持基枠１に着脱自在に組付けたばね材６を係止孔より突出する各部片３ａ´，３ｂ´部に引っ掛けるようにして支持基枠１に着脱自在に取付けたものである。
【００１２】
前記のように前面板１ａに固定した構成を採るときは、部片３ａ´，３ｂ´を省略した形態の支持受が用いられ、該支持受は熔接その他の固定手段で前面板１ａに固定され、前面板１ａに突設される。
【００１３】
そして、この支持受３，３間にケーブルｃをわたすようにして該支持受け３にケーブルｃを受支させ、中間部を各側部片３ｂ，３ｂに設けた前記切欠５に係合するようにして側部片３ｂ，３ｂ間にわたして配した螺旋杆７の両側を、ケーブルｃに巻き付けることにより実施例の、隧道壁面のケーブル支持装置を得られるのである。
【００１４】
螺旋杆７は、鋼線などの剛性杆より成る芯材を合成樹脂で被覆した、各部の内径が同径の螺旋体で成り、中間部を支持受３上に位置するケーブルｃより下側の、支持受３の前記切欠５に係合させて、両側をケーブルｃに巻き付けようとすると、切欠５の縁部に係合させた前記の中間部は、両側のケーブルｃに対する巻き付け操作より内径が強制的に拡開され、両側のケーブルｃに対する巻き付けを行うことができ、拡開変化によって弾性付勢が生じて両側部の内周縁がケーブルｃに圧接し、ケーブルｃは支持受３に良好に組付け、固定されるのである。
【００１５】
なお、図示のケーブル受金具Ａは、支持基枠１に組付けた支持受３の外に、該支持受３より小形な支持受３´を、支持受３と同様にして取付けて、前記ケーブルｃより小径なケーブルｃ´を螺旋杆７より内径が小径な螺旋体より成る螺旋杆７´も組付け、固定できるようにしてあるが、支持基枠１に対して同大同形の支持受３を上下に並べて複数本のケーブルｃを装置するようにした構成のものでも不都合はないし、単一なケーブルｃ又はｃ´のみを配線する場合でも本装置は実施できる。
【００１６】
支持基枠１に対する支持受３の組付け（取付け）手段は、実施例の手段に限定する必要がないことは勿論で、該組付け手段それ自体は本発明の要旨とするところではないので詳細な説明は省略する。
【００１７】
因みに、実施例の場合は、支持基枠１を、基枠主体１Ａと取付け部片１Ｂとをねじ止めして構成してあるので、取付け部片側を隧道壁面ｗに残したまま基枠主体１Ａを取り外して該主体１Ａに対する支持受３の着脱操作が行え、支持受３延いてはケーブルｃの組付け操作を円滑に行うことができる。
【符号の説明】
【００１８】
１      支持基枠
１ａ    前面板
３      支持受
４      螺旋杆
ｃ      ケーブル
【図１】
2010172058.tif 000003
【図２】
2010172058.tif 000004
【図３】
2010172058.tif 000005
【図４】
2010172058.tif 000006
【図５】
2010172058.tif 000007